(57)【要約】【課題】デジタル信号をデジタル処理する回路を有するアナログテレビ放送受信用の復調装置の生産コストを抑えつつ、量子化誤差に関する不具合（ぼやけ）を排除すること。【解決手段】図２の下段の周波数ａ〜ｅは、ダウンコンバータのローカルミキサによってローカル周波数ｘだけ下方変換された後の、目的のチャンネル内での各部の周波数を示している。例えばｂは映像搬送波周波数に対応する下方変換後の周波数である。アナログテレビ放送における目的のチャンネルの下限周波数をＡとする。この時ｘ＝Ａ−ａ′＋Δｆ，ａ′＝ａ＋Δｆ＜ｂ，Δｆ＝１．１５ＭＨｚとすると、下方変換された後の目的のチャンネル内での各周波数ａ〜ｅと、ダウンコンバータのバンドパスフィルタに与えるべき帯域制限特性ＢＰＦ１との関係は図２の様にΔｆだけずれる。例えばこの様な設定により、量子化後のデジタル信号のダイナミックレンジを効果的に圧縮することができる。【選択図】図２
2005176114.tif 000002
【特許請求の範囲】
【請求項１】
地上波を受信するアンテナに接続するアナログテレビ放送受信用の復調装置であって、
前記アンテナの受信信号から所望の受信チャンネルをアナログ回路で抽出するチューナと、
前記チューナから出力されるアナログ信号をＡ／Ｄ変換するＡ／Ｄ変換部と、
前記Ａ／Ｄ変換部から出力されるデジタル信号をデジタル処理するデジタル信号処理部と、
前記デジタル信号処理部から出力されるデジタル信号を復調する復調部と
を有し、
前記チューナは、
前記受信チャンネルのチャンネル帯域の下限から前記受信チャンネルの映像搬送波周波数に至るまでの帯域の内の少なくとも一部分領域の受信信号をカットオフする下位領域カットオフ手段を有する
ことを特徴とするアナログテレビ放送用の復調装置。
【請求項２】
前記下位領域カットオフ手段は、
カットオフすべき前記一部分領域の帯域幅だけ、所定のローカル周波数をずらして設定するローカル周波数設定手段を有する
ことを特徴とする請求項１に記載のアナログテレビ放送用の復調装置。
【請求項３】
前記下位領域カットオフ手段は、
前記受信チャンネルの帯域幅よりも狭い帯域幅の帯域だけを通過させるバンドパスフィルタを有する
ことを特徴とする請求項１又は請求項２に記載のアナログテレビ放送用の復調装置。
【請求項４】
前記受信チャンネルの映像搬送波周波数から上位側に広がる、幅１．２乃至１．３ＭＨｚの領域の信号を選択的に増幅するフィルタ部を有する
ことを特徴とする請求項１乃至請求項３の何れか１項に記載のアナログテレビ放送用の復調装置。
【発明の詳細な説明】
【技術分野】
【０００１】
本発明は、地上波を受信するアンテナに接続するアナログテレビ放送受信用の復調装置に関する。この復調装置は、デジタル信号をデジタル処理する回路を有するアナログテレビ放送用の受信装置に大いに有用なものである。
【背景技術】
【０００２】
アナログテレビ放送を受信するための復調装置としては、アナログ回路を用いたものが一般的であり、デジタル信号をデジタル処理する回路（デジタル回路又はコンピュータ）を用いたものは一般的ではないが、デジタル信号をデジタル処理する回路を受信信号処理部に用いたアナログテレビ放送用の復調装置としては、デジタルテレビ放送用の復調装置を構成する場合と略同様に、従来のアナログ回路の一部をそのまま単純にデジタル回路に置き換えた復調装置を考えることができる。
【発明の開示】
【発明が解決しようとする課題】
【０００３】
しかしながら、デジタル信号をデジタル処理する回路を受信信号処理部に用いたアナログテレビ放送用の復調装置を構成する際に、アナログ回路の一部をそのまま単純にデジタル回路に置き換えただけでは、縦縞模様を画像表示した際に縦線がぼやけて不鮮明に表示されてしまうことがある。
【０００４】
テレビ画面に縦線がぼやけて表示される原因は、受信信号のＡ／Ｄ変換後のＡＭ変調の高周波成分の量子化誤差にある。図７のグラフは、アナログテレビ放送の各チャンネル内での帯域割り当て形式を示しており、記号Ａ〜Ｅは各点における周波数を示している。例えば、現在の日本のアナログテレビ放送では、Ｅ−Ａの値は６ＭＨｚである。
ＡＭ変調の高周波成分は、同一チャンネル内のその他の周波数に比べて受信レベルが相対的に低い場合が多いので、Ａ／Ｄ変換後に量子化誤差が生じ易く、量子化（デジタル化）処理の際にこの成分が劣化すると上記の不具合が生じる。この問題を解決するためには量子化の精度を上げれば良い訳であるが、その様な手段を用いれば、デジタル信号をデジタル処理する回路（デジタル回路又はコンピュータ）の演算処理性能をも同時に引き上げる必要が生じ、結局、コストの面で派生問題が生じることとなる。
【０００５】
本発明は、上記の課題を解決するために成されたものであり、その目的は、デジタル信号をデジタル処理する回路を有するアナログテレビ放送受信用の復調装置の生産コストを抑えつつ、上記の量子化誤差に関する不具合を排除することである。
【課題を解決するための手段】
【０００６】
上記の課題を解決するためには、以下の手段が有効である。
即ち、本発明の第１の手段は、地上波を受信するアンテナに接続するアナログテレビ放送受信用の復調装置において、アンテナの受信信号から所望の受信チャンネルをアナログ回路で抽出するチューナと、このチューナから出力されるアナログ信号をＡ／Ｄ変換するＡ／Ｄ変換部と、このＡ／Ｄ変換部から出力されるデジタル信号をデジタル処理するデジタル信号処理部と、このデジタル信号処理部から出力されるデジタル信号を復調する復調部とを備え、更に、上記のチューナに、上記の受信チャンネルのチャンネル帯域の下限からこの受信チャンネルの映像搬送波周波数に至るまでの帯域の内の少なくとも一部分領域の受信信号をカットオフする下位領域カットオフ手段を備えることである。
【０００７】
ただし、本明細書では、映像搬送波に基づいて生成される信号の信号帯域から、音声搬送波に基づいて生成される信号の信号帯域へと向う向きを上向きと定義する。本発明の第１乃至第４の手段における周波数帯域などの上下関係は、この定義に基づくものである。したがって、中間周波数帯域（ＩＦ）に一旦周波数変換された信号に対しても、以下、上記の下位領域カットオフ手段等の表現を一貫して用いるものとする。言い換えれば、本明細書の各請求項の文言における上下関係は、地上波における周波数の上下関係に対応するものである。
【０００８】
また、本発明の第２の手段は、上記の第１の手段において、カットオフすべき一部分領域の帯域幅だけ所定のローカル周波数をずらして設定するローカル周波数設定手段を、上記の下位領域カットオフ手段に設けることである。
【０００９】
また、本発明の第３の手段は、上記の第１又は第２の手段において、受信チャンネルの帯域幅よりも狭い帯域幅の帯域だけを通過させるバンドパスフィルタを、上記の下位領域カットオフ手段に設けることである。
【００１０】
また、本発明の第４の手段は、上記の第１乃至第３の何れか１つの手段において、受信チャンネルの映像搬送波周波数から上位側に広がる、幅１．２乃至１．３ＭＨｚの領域の信号を選択的に増幅するフィルタ部を備えることである。
以上の本発明の手段により、前記の課題を効果的、或いは合理的に解決することができる。
【発明の効果】
【００１１】
以上の本発明の手段によって得られる効果は以下の通りである。
即ち、本発明の第１の手段によれば、受信信号のダイナミックレンジを簡単かつ効果的に圧縮することができるので、デジタル信号をデジタル処理する回路を有するアナログテレビ放送受信用の復調装置の生産コストを抑えつつ、上記の量子化誤差に関する不具合を排除することができる。
【００１２】
地上波アナログテレビ放送の場合、受信信号のスペクトルは通常、映像搬送波周波数、音声搬送波周波数、映像副搬送波周波数の順に、高く鋭いピークを示す。ＡＭ変調の高周波成分は、映像搬送波周波数と映像副搬送波周波数の間の周波数領域に位置する成分であるが、このＡＭ変調の高周波成分の受信レベルと映像搬送波周波数における受信レベルとのレベル差は、通常非常に大きい。
【００１３】
しかしながら、映像搬送波周波数よりも周波数の低い領域の受信信号をカットオフした場合には、同時に映像搬送波周波数の受信レベルをも抑圧することができるため、映像搬送波周波数の受信レベルとＡＭ変調の高周波成分の受信レベルとのレベル差を効果的に抑制（圧縮）することができる。
この圧縮が生じる理由は、アナログ回路で構成される一般のカットオフ手段により、映像搬送波周波数よりも周波数の低い領域の受信信号をカットオフする際に、通常、映像搬送波周波数近傍の成分も同時にある程度減衰されるためである。言い換えれば、上記の下位領域カットオフ手段のカットオフ周波数近傍の減衰特性は、周波数に対して急峻過ぎてはならず、この周波数特性がある程度周波数に対して穏やかな一般の場合に、上記の作用・効果を得ることができる。
【００１４】
したがって、この映像搬送波のピーク信号に対する抑圧処理は、垂直同期若しくは水平同期のための同期信号が劣化しない範囲内で、或いは映像搬送波のピーク信号のレベルが音声搬送波のピーク信号のレベルと略同等レベルに低下するまでの範囲内で、実施すれば良い。この抑圧効果が大き過ぎると同期信号が劣化してしまい望ましくない。或いは、この抑圧効果が大き過ぎると、今度は音声搬送波のピーク信号が新たな限定要因となるので、それ以上のダイナミックレンジ圧縮効果を得ることはできない。したがって、この抑圧効果が大き過ぎても、映像搬送波が劣化するだけでそれ以上の圧縮効果を得ることはできない。
【００１５】
また、テレビ放送受信用の復調装置に関しては、今後、デジタルテレビ放送受信用の装置を中心として、研究・開発が展開されていく時流が強いが、上記の本発明の構成に従えば、アナログテレビ放送受信用の復調装置とデジタルテレビ放送受信用の復調装置との間で、デジタル信号処理部の多くの部分（ハードウェア及び／又はソフトウェア）を共通化することができる。このため、上記の本発明の構成に従えば、デジタルテレビ放送受信用に開発される例えばデータ圧縮技術、ノイズ抑制技術、ダイバーシチ受信技術、ゴースト除去技術、画像修正技術などを使った製品や部品を、比較的円滑にアナログテレビ放送受信用の復調装置にも取り入れて、利用していくことが可能となる。即ち、本発明は、アナログテレビ放送受信用の復調装置の開発・製造コストの抑制にも寄与する。
【００１６】
なお、カットオフする領域は、目的のチャンネルの帯域幅（６ＭＨｚ）の下限から、上位側に続く幅約１．１〜１．２ＭＨｚ程度の領域が良い。この領域が狭過ぎると、ダイナミックレンジを圧縮する効果が不足する。また、この領域が広過ぎると、有用な受信信号（映像搬送波）が必要以上に削除又は減衰されてしまい望ましくない。
【００１７】
また、本発明の第２の手段によれば、受信装置のローカル周波数を１．０〜１．２５ＭＨｚ程度ずらすだけで、非常に簡単に、目的の受信チャンネルのチャンネル帯域の下限からその映像搬送波周波数に至るまでの帯域の内の少なくとも一部分領域の受信信号をカットオフすることができる。この場合にも、上記と同様により望ましいスライド幅Δｆは、凡そ１．１〜１．２ＭＨｚ程度である。
また、このスライド操作によって、目的のチャンネルの上位側の隣のチャンネルの下方領域が、バンドパスフィルタの上限周波数の近傍領域に入り込むことになるが、各チャンネル間の境界近傍の部分の受信信号は常に低レベルであるので、隣のチャンネルの下方領域のはみ出しにより新たな問題が生じることは無い。
【００１８】
また、本発明の第３の手段によれば、帯域制限アナログフィルタの調整又は追加だけで、非常に簡単に、目的の受信チャンネルのチャンネル帯域の下限からその映像搬送波周波数に至るまでの帯域の内の少なくとも一部分領域の受信信号をカットオフすることができる。また、この帯域制限操作によって、目的のチャンネルが上位側にずれてはみ出す様なことは無い。この場合にも、上記と同様に望ましい通過帯域幅は、６ＭＨｚ−Δｆ（Δｆ＝１．１〜１．２ＭＨｚ）程度である。
【００１９】
また、本発明の第４の手段によれば、上記の下位領域カットオフ手段によってカットオフされた受信信号を効果的に補償することができる。地上波アナログテレビ放送の場合、映像搬送波周波数を中心とする上下±１．２５ＭＨｚの領域では、映像搬送波周波数を折返点として上下対称に同じ情報を搬送している。したがって、下位領域カットオフ手段によって下位の１．２５ＭＨｚの領域の受信信号がカットオフされた場合でも、映像搬送波周波数より上位の１．２５ＭＨｚの領域の受信信号を適当に増強しておけば、カットオフされた受信信号を効果的に補償することができる。この補償処理は、アナログ回路上で実現しても良いし、デジタル回路上で実現しても良い。
【発明を実施するための最良の形態】
【００２０】
以下、本発明を具体的な実施例に基づいて説明する。
ただし、本発明の実施形態は、以下に示す個々の実施例に限定されるものではない。
【実施例１】
【００２１】
図１のブロック図は、本明細書の各実施例に係わるアナログテレビ放送受信用の復調装置１０００のシステム構成を表している。以下、この復調装置１０００のシステム構成について説明する。
チューナ１は、ダウンコンバータ１ａとＡＧＣアンプ４１〜４４等を備えている。また、ダウンコンバータ１ａは、ローカル発振器１０とローカルミキサ２１〜２４とバンドパスフィルタ３１〜３４等を備えている。各アンテナＡ１〜Ａ４はアナログテレビ放送受信用のものであり、それぞれ、チューナ１に内蔵された図略のＲＦアンプと広帯域バンドパスフィルタとを経由して、それぞれ、対応する各ローカルミキサ２１〜２４に接続されている。各ローカルミキサ２１〜２４の出力端は、それぞれ、対応する各バンドパスフィルタ３１〜３４の入力端に接続されると共に、それぞれ、ローカル発振器１０の出力端に接続されている。また、各バンドパスフィルタ３１〜３４の出力端はそれぞれ、対応する各ＡＧＣアンプ４１〜４４の入力端に接続されている。
【００２２】
即ち、アンテナＡ１とローカルミキサ２１とバンドパスフィルタ３１とＡＧＣアンプ４１とは順次直列に接続されており、ＡＧＣアンプ４１が出力するアナログ信号は、Ａ／Ｄ変換器５１に入力される。他のアンテナ系列（Ａ２，Ａ３，Ａ４）に付いても同様で、これらの各アンテナ系列は、それぞれ互いに並列に配置されている。
【００２３】
一方、ＭＲＣユニット２は、Ａ／Ｄ変換器５１〜５４と重み係数演算部６０と乗算器７１〜７４と加算器８０とＡＧＣ電圧演算部１００とＤ／Ａ変換器１１０等を備えている。各Ａ／Ｄ変換器５１〜５４の各入力端はそれぞれ、対応する各ＡＧＣアンプ４１〜４４の各出力端に接続されている。また、各Ａ／Ｄ変換器５１〜５４から出力される各デジタル信号はそれぞれ、対応する各乗算器７１〜７４を経由して加算器８０に出力される。加算器８０の演算結果（デジタル信号）は、復調器９０に出力されると同時に、重み係数演算部６０とＡＧＣ電圧演算部１００にも出力される。
【００２４】
以下、この復調装置１０００のシステム動作について説明する。
各アンテナＡｎ（ｎ＝１，２，３，４）で受信した受信信号は、上記の図略のＲＦアンプによってそれぞれ増幅され、上記の図略の広帯域バンドパスフィルタによってＶＨＦとＵＨＦの少なくとも何れか一方に帯域制限を受けた後、それぞれ、対応する各ローカルミキサ２１〜２４に入力される。各ローカルミキサ２１〜２４では、ローカル発振器１０から発信されるチャンネル選択用の交流信号と各アンテナＡ１〜Ａ４から得られる受信信号とを乗算することによりミキシング（周波数変換処理）を実行する。これにより、ＲＦ信号がＩＦ信号に変換される。ダウンコンバータ１ａによって実行されるこの変換の形態に付いては、図２、図３を用いて後から詳しく説明する。
【００２５】
重み係数演算部６０は、ダイバーシチ受信を実施するための制御を最大比合成法に従って実行する。即ち、重み係数演算部６０は、各Ａ／Ｄ変換器５１〜５４から出力される各デジタル信号と加算器８０から出力されるデジタル信号とに基づいて、各アンテナ系列の重み係数を決定する。各乗算器７１〜７４はそれぞれ、対応する各Ａ／Ｄ変換器５１〜５４から出力される各デジタル信号に、上記の各重み係数を掛けることにより、重み付けがされたデジタル信号をそれぞれ加算器８０に出力する。この様な構成により、最大比合成法に従ってダイバーシチ受信を実施することができる。
【００２６】
この加算器８０から出力されるデジタル信号は、復調器９０が実行するベースバンドへの周波数変換処理やＤ／Ａ変換処理等を始めとする各種の周知の復調処理を経て、画像／音声出力装置に出力される。ただし、Ａ／Ｄ変換を実施する際に各Ａ／Ｄ変換器５１〜５４により、目的の受信チャンネルのアナログ信号を直接ベースバンドレンジに落して処理することも可能である。その様な場合には、上記のベースバンドへの周波数変換処理は必要ない。また、ＡＧＣ電圧演算部１００は、加算器８０から出力される上記のデジタル信号に基づいて、ＡＧＣアンプ４１〜４４の適正な利得を求める。これにより、受信状態に応じた出力レベルが決定されるので加算器８０から出力される上記のデジタル信号のレベルが安定する。
なお、Ｄ／Ａ変換器１１０は、ＡＧＣ電圧演算部１００の算出結果（：ＡＧＣアンプ４１〜４４の適正な利得）をアナログ信号に変換して、各ＡＧＣアンプ４１〜４４に出力するものである。
【００２７】
図２に、本実施例１におけるダウンコンバータ１ａの設定形態を示す。本図２の下段の周波数ａ〜ｅは、ダウンコンバータ１ａのローカルミキサ２１〜２４によってローカル周波数ｘだけ下方変換された後の周波数を示しており、それぞれ前述の図７の周波数Ａ〜Ｅと、次式（１）に示す対応関係を持っている。即ち、ここで、ｘ［ＭＨｚ］は、ローカル発振部１０が発振する交流信号（ローカル）の周波数である。
（周波数ａ〜ｅ）
ａ＝Ａ−ｘ  （Ａは目的の受信チャンネルの下限周波数），
ｂ＝Ｂ−ｘ  （Ｂは目的の受信チャンネルの映像搬送波周波数），
ｃ＝Ｃ−ｘ  （Ｃは目的の受信チャンネルの映像副搬送波周波数），
ｄ＝Ｄ−ｘ  （Ｄは目的の受信チャンネルの音声搬送波周波数），
ｅ＝Ｅ−ｘ  （Ｅは目的の受信チャンネルの上限周波数），
ｂ−ａ＝１．２５ＭＨｚ，
ｃ−ｂ＝３．５７９５４５ＭＨｚ，
ｄ−ｂ＝４．５ＭＨｚ，
ｅ−ａ＝６．０ＭＨｚ                                                …（１）
【００２８】
また、本図２の上段は、バンドパスフィルタ３１〜３４に与えるべき、帯域制限特性（ＢＰＦ１）を示しており、この帯域制限範囲の上下限ａ′，ｅ′は、次式（２）に示す様に設定されている。
（上下限ａ′，ｅ′）
ａ′＝ａ＋Δｆ＜ｂ，
ｅ′＝ａ′＋６．０ＭＨｚ                                            …（２）
【００２９】
ここで、バンドパスフィルタ３１〜３４の帯域制限範囲の下限値ａ′は定数であるので、ローカル周波数ｘは、所望の受信チャンネルの下限周波数Ａに対して、次式（３）が成り立つ様に決定すれば良い。
ｘ  ＝  Ａ−ａ′＋Δｆ
＝  Ｅ−ｅ′＋Δｆ                                              …（３）
【００３０】
本実施例１では、上記のスライド幅Δｆを１．１５ＭＨｚとする。図３は、図１の復調器９０内のベースバンドレンジで観測される目的の受信チャンネルの受信状態（スペクトル）を例示するグラフであり、図３−ＡはΔｆ＝０ＭＨｚと設定した場合の比較例（以下、比較例１と言う）に相当し、図３−ＢはΔｆ＝１．１５ＭＨｚと設定した場合の本実施例１に相当している。
図３−Ａに例示する比較例１では、ＡＭ高周波に対応する丸印で示す部分が、映像搬送波に対応する周波数ｂの部分よりも約６０ｄＢも信号レベルが低くなっている。このため、比較例１では、例えば前述の重み係数演算部６０等で実施されるデジタル信号処理の処理データ（デジタルデータ）のダイナミックレンジを大きくしないと、前述の縦線がぼやけてしまう不具合を回避することができない。
【００３１】
一方、図３−Ｂに例示する本実施例１では、Δｆ＝１．１５ＭＨｚとする図２及び式（３）のローカル周波数ｘの設定により、音声搬送波に対応する周波数ｄの部分が最大値を示す様に変更されており、かつ、この部分とＡＭ高周波に対応する部分との信号レベルのレベル差は、約４０ｄＢ程度にまで、圧縮、改善されている。これは、下方領域１．１５ＭＨｚをカットオフする際に、カットオフされる領域に最も近い映像搬送波に相当する部分の信号レベルも同時に減衰されたためである。
【００３２】
このため、本実施例１では、ＭＲＣユニット２で扱われる処理データ（デジタルデータ）のダイナミックレンジを効果的に圧縮できるので、ＭＲＣユニット２内での量子化精度をむやみに高くする必要がなくなる。即ち、本実施例１では、Ａ／Ｄ変換器５１〜５４での量子化精度を必要かつ十分な精度に適度に設定できるので、ＭＲＣユニット２の価格を効果的に抑制することができる。
【００３３】
また、本実施例１では、Δｆ＝１．１５ＭＨｚと設定したが、スライド幅Δｆの適正範囲は１．０〜１．２５ＭＨｚ程度で、望ましいくは、例えば上記の様に約１．１〜１．２ＭＨｚ程度の範囲内に設定すれば、有効な結果が得られ易い。
本実施例１では、ローカル周波数ｘを上記の式（３）に従ってΔｆずらすだけで非常に簡単に、目的の受信チャンネルのチャンネル帯域の下方領域の受信信号をカットオフすることができる点が、最も大きな特徴である。
【実施例２】
【００３４】
或いはまた、前述の式（３）においてｘ＝Ａ−ａ′としたままでも、即ち、ローカル周波数ｘに対するΔｆのスライドを実施しないままでも、図１のバンドパスフィルタ３１〜３４の帯域制限特性を巧く変更することにより、上記の実施例１と同様の効果を得ることができる。本実施例２では、その様な場合について例示する。
【００３５】
図４に、本実施例２におけるダウンコンバータ１ａの設定形態を示す。即ち、本実施例２においては、図１のバンドパスフィルタ３１〜３４に与えるべき帯域制限特性を図４の上段の帯域制限特性ＢＰＦ２の様に設定する。本図４では、前述の図２と同じ数値は同じ変数を用いて示しており、図２の帯域制限特性ＢＰＦ１の上限周波数（ｅ′）は、図４の帯域制限特性ＢＰＦ２の上限周波数（ｅ′）と一致している。しかし、図２の帯域制限特性ＢＰＦ１の下限周波数ａ′と図４の帯域制限特性ＢＰＦ２の下限周波数ａ″との間には、次式（４）の関係を設ける。
（ＢＰＦ２の下限周波数ａ″）
ａ″＝ａ′＋Δｆ                                                    …（４）
【００３６】
即ち、本実施例２（図４）では、帯域制限特性の上限周波数は、上記の実施例１のＢＰＦ１の上限周波数と同じ周波数に据え置き、帯域制限特性の下限周波数のみを帯域制限特性ＢＰＦ１に対してΔｆだけ上方にずらすことにより、帯域制限特性ＢＰＦ２を設定する。この様に、下方側の領域（目的の受信チャンネルのチャンネル帯域の下限からこの受信チャンネルの映像搬送波周波数に至るまでの帯域の内の一部分領域）をカットオフできる様に、バンドパスフィルタ３１〜３４に与えるべき帯域制限特性の帯域幅を狭くすることによっても、実施例１と略同様の作用原理によって、実施例１と略同様の効果を得ることができる。
【実施例３】
【００３７】
図１のバンドパスフィルタ３１に関する本実施例３においてのより具体的な構成例を図５に示す。勿論、バンドパスフィルタ３２〜３４に付いても図５のバンドパスフィルタの構成例と全く同じ構成にする。このバンドパスフィルタ３１の構成例では、２つのバンドパスフィルタ３０ｂ，３０ｃを並列に接続している点が特徴的であり、例えばこの様な構成によって、受信チャンネルの映像搬送波周波数から上位側に広がる、幅１．２乃至１．３ＭＨｚの領域の信号を選択的により大きく増幅することが可能となる。
【００３８】
増幅器３０ａは、その前段のローカルミキサ（２１／２２／２３／２４）から出力されるアナログ信号を増幅して、２つのバンドパスフィルタ３０ｂ，３０ｃにそれぞれ出力する。バンドパスフィルタ３０ｂの帯域制限特性は、図２に示す帯域制限特性ＢＰＦ１と同じにする。また、バンドパスフィルタ３０ｃの帯域制限特性は、図６に示す帯域制限特性ＢＰＦ３の様に設定する。本図６では、前述の図２と同じ数値は同じ変数を用いて示しており、図６の帯域制限特性ＢＰＦ３の下限周波数αは、図２の帯域制限特性ＢＰＦ１の下限周波数ａ′と略一致している。即ち、α≒ａ′と設定する。一方、図６の帯域制限特性ＢＰＦ３の上限周波数εは、ε≒２ｂ−ａと設定する。また、２つのバンドパスフィルタ３０ｂ，３０ｃから出力される各アナログ信号は、アナログ信号合成器３０ｄによって合成する。
【００３９】
この時、Δｆ＝１．１５ＭＨｚとし、かつ、前述の式（１）〜式（３）に従って、ローカル周波数ｘなどを決定すれば、アナログ信号合成器３０ｄによって出力される合成信号においては、映像搬送波周波数に対応する周波数ｂより上位の１．２５ＭＨｚの領域の受信信号だけが、選択的により高い利得で増幅されることになる。
【００４０】
地上波アナログテレビ放送の場合、映像搬送波周波数を中心とする上下±１．２５ＭＨｚの領域では、映像搬送波周波数を折返点として上下対称に同じ情報を搬送しているので、下位領域カットオフ手段によって下位の１．２５ＭＨｚの領域の受信信号がカットオフされた場合でも、例えば本実施例３の様に、映像搬送波周波数より上位の１．２５ＭＨｚの領域の受信信号だけを選択的に適当に増強しておけば、下位領域カットオフ手段でカットオフされた受信信号を効果的に補償することができる。
【００４１】
〔その他の変形例〕
本発明の実施形態は、上記の形態に限定されるものではなく、その他にも以下に例示される様な変形を行っても良い。この様な変形や応用によっても、本発明の作用に基づいて本発明の効果を得ることができる。
（変形例１）
例えば、上記の実施例１では、ローカル周波数ｘをスライド幅Δｆだけずらすことにより、本発明の作用・効果を導き、また、上記の実施例２では、帯域制限特性ＢＰＦ２をスライド幅Δｆだけ狭くすることにより、本発明の作用・効果を導いたが、両実施例の手段を組み合わせて実施することも可能である。この場合、例えばΔｆを５７５ｋＨｚに設定すれば、結局、目的の受信チャンネルの下位領域１．１５ＭＨｚをカットオフすることができるので、この様な複合した方式によっても、上記と同様に本発明の作用・効果を得ることができる。
【００４２】
言い換えれば、ローカル周波数ｘによってミキシングされた後の目的のチャンネルの下限周波数ｆ１と、そのチャンネルを抽出するために帯域制限を掛けるバンドパスフィルタの下限周波数ｆ２との間に、ｆ１＋Δｆ＝ｆ２（１．０ＭＨｚ≦Δｆ≦１．３ＭＨｚ）の関係を設けることができれば良いのであって、この関係を満たすために、ローカル周波数ｘをスライドさせても良いし、バンドパスフィルタの下限周波数ｆ２をスライドさせても良いし、両者のスライド幅の和がΔｆに一致する様に設定しても良い。
【００４３】
（変形例２）
また、復調装置（受信装置）のＡ／Ｄ変換を実施する前のアナログ回路においては、ローカルミキサによる周波数変換やバンドパスフィルタによる帯域制限は、何段階に分けて実施しても良い。したがって、受信チャンネルのチャンネル帯域の下限からこの受信チャンネルの映像搬送波周波数に至るまでの帯域の内の少なくとも一部分領域の受信信号をカットオフする、本発明の下位領域カットオフ手段は、多段階に分けて構成することも勿論可能である。Ａ／Ｄ変換を実施する前のアナログ信号処理部（アナログ回路）の中に、本発明の下位領域カットオフ手段を配置する限り、本発明の下位領域カットオフ手段を多段階に分けて構成しても、上記と同様の効果が得られることは、本発明の作用原理から明らかである。
【００４４】
（変形例３）
また、実施例３では、映像搬送波のレベル補償処理をアナログ回路で行っているが、この様な補償処理は、例えば図１の構成下においては、ＭＲＣユニット２中のデジタル信号処理部等で実施しても良い。この様な方式の如何は、デジタル信号処理部の演算処理能力における余裕の有無によって決定すれば良い。より一般には、この様な補償機構は、本発明の復調装置を構成する任意の部分に組み込んだり挿入したりすることができる。
【産業上の利用可能性】
【００４５】
本発明は、地上波を受信するアンテナに接続するアナログテレビ放送受信用の復調装置に関し、デジタル信号をデジタル処理する回路を有するアナログテレビ放送用の受信装置に大いに有用なものである。
【図面の簡単な説明】
【００４６】
【図１】各実施例に係わる復調装置１０００のシステム構成を表すブロック図
【図２】実施例１におけるダウンコンバータ１ａの設定形態を示すグラフ
【図３−Ａ】比較例１（Δｆ＝０）での受信状態を例示するグラフ
【図３−Ｂ】実施例１（Δｆ＝１．１５ＭＨｚ）での受信状態を例示するグラフ
【図４】実施例２におけるダウンコンバータ１ａの設定形態を示すグラフ
【図５】実施例３におけるバンドパスフィルタ３１の構成例を表すブロック図
【図６】実施例３におけるバンドパスフィルタ３０ｃの設定形態を示すグラフ
【図７】アナログテレビ放送の各チャンネル内での帯域割り当て形式を示すグラフ
【符号の説明】
【００４７】
Ａ１〜Ａ４：  アンテナ
１０００  ：  アナログテレビ放送受信用の復調装置
１  ：  チューナ
１ａ：  ダウンコンバータ
１０  ：  ローカル発振器
２１〜２４：  ローカルミキサ
３１〜３４：  バンドパスフィルタ
４１〜４４：  ＡＧＣアンプ
２  ：  ＭＲＣユニット
５１〜５４：  Ａ／Ｄ変換器
６０  ：  重み係数演算部
７１〜７４：  乗算器
８０  ：  加算器
９０  ：  復調器
１００  ：  ＡＧＣ電圧演算部
１１０  ：  Ｄ／Ａ変換器
【図１】
2005176114.tif 000003
【図２】
2005176114.tif 000004
【図３−Ａ】
2005176114.tif 000005
【図３−Ｂ】
2005176114.tif 000006
【図４】
2005176114.tif 000007
【図５】
2005176114.tif 000008
【図６】
2005176114.tif 000009
【図７】
2005176114.tif 000010